(57)【要約】  本発明は、チェンを供給しかつ案内するガイドレールと、保持要素に対する保持部を有する連結要素とを備えるチェンガイド要素であって、保持要素は、固定要素を有する円筒形の要素として形成されており、固定要素は、連結要素により保持される、チェンガイド要素に関する。【特許請求の範囲】
【請求項１】
チェンが当接しかつチェンを案内するガイドレール（２）と、保持要素（４）に対する保持部を有する連結要素（３）とを備える、チェンガイド要素（１）であって、
前記保持要素（４）は、固定要素（１２）を有する円筒形の要素として形成されており、該固定要素（１２）は、前記連結要素（３）により保持されることを特徴とする、チェンガイド要素。
【請求項２】
前記連結要素（３）は、２対の舌片（１５，１６，１７，１８）により形成されており、１つの対偶を成すそれぞれ２つの舌片（１５，１６，１７，１８）が、その間に前記保持要素（４）を保持し、前記固定要素（１２）は、両対の舌片（１５，１６；１７，１８）の間に保持される、請求項１記載のチェンガイド要素。
【請求項３】
前記ガイドレール（２）は、横向きに延在しているほぼ平坦な少なくとも１つのプレート（５，６）を備え、該プレート（５，６）にチェンが当接する、請求項１または２記載のチェンガイド要素。
【請求項４】
前記舌片（１５，１６，１７，１８）は、前記プレート（５，６）から突出している、請求項３記載のチェンガイド要素。
【請求項５】
前記舌片（１５，１６，１７，１８）は、相互にほぼ平行に方向付けされている、請求項４記載のチェンガイド要素。
【請求項６】
前記舌片（１５，１６，１７，１８）は、その端部領域（１９）に肉厚部（２０）を有し、該肉厚部（２０）は、１対の隣り合う舌片（１５，１６；１７，１８）において互いに向き合うように方向付けされている、請求項１から５までのいずれか１項記載のチェンガイド要素。
【請求項７】
前記固定要素（１２）は、円筒体または非円形の均一の厚みの要素であり、該円筒体または非円形の均一な厚みの要素は、円筒形の前記保持要素（４）を保持する、請求項１から６までのいずれか１項記載のチェンガイド要素。
【請求項８】
円筒形の前記保持要素（４）は、潤滑油の供給に用いられる所定の管である、請求項１から７までのいずれか１項記載のチェンガイド要素。
【請求項９】
前記円筒体は、少なくとも１つの孔（２１）を有し、該孔（２１）は、前記管の孔（１３）と整合していて、チェンの潤滑油の供給に用いられる、請求項８記載のチェンガイド要素。
【請求項１０】
前記ガイドレール（２）は、相互に間隔をおいた２つのプレート（５，６）と、互いに反対側に位置する２つの壁部（７，８）とを有し、該壁部（７，８）は、両方の前記プレート（５，６）を縁側で結合して、チェンを収容するような１つの通路を形成する、請求項１から９までのいずれか１項記載のチェンガイド要素。
【発明の詳細な説明】
【技術分野】
【０００１】
本発明は、特に自動車のＣＶＴ変速機用のチェンガイド要素に関する。
【背景技術】
【０００２】
チェンガイド要素は、背景技術によるＣＶＴ変速機において、チェンを案内するため、かつチェンのチェン区分振動を減衰するために公知である。そこで独国特許出願公開第１０２０３９４１号明細書において、無段式に調節可能な円錐ディスク巻掛式伝動装置がＣＶＴ変速機として開示されている。この特許文献において、チェンを案内して振動を減衰するために、互いに反対側に位置する複数のチェンガイド要素が使用される。この場合、両方のチェンガイド要素は連結機構を介して互いに連結されており、連結機構は、巻掛け部の調節、ひいてはチェンの軌道の調節を可能にし、チェンガイド要素の調節を可能にする。開示された連結部では、作動時間全体にわたって、チェンがチェンガイド要素に限定的にしか接触せず、これは、チェン区分の振動ひいては摩耗の増大や所望されない騒音を生じさせてしまうおそれがある。
【発明の概要】
【発明が解決しようとする課題】
【０００３】
本発明の課題は、チェン区分の改善された振動減衰を実現可能であり、しかも簡単かつ経済的に構成されたチェンガイド要素を提供することである。
【課題を解決するための手段】
【０００４】
本発明のこの課題は、請求項１の特徴部に記載の構成により解決される。
【０００５】
本発明の１つの態様は、チェンが当接しかつチェンを案内するガイドレールと、保持要素に対する保持部を有する連結要素とを備える、チェンガイド要素であって、保持要素は、固定要素を有する円筒形の要素として形成されており、固定要素は、連結要素により保持される、チェンガイド要素に関する。連結要素により保持される固定要素によって、保持要素の軸線の方向に対して垂直のチェンガイド要素の揺動が低減されるか、または完全に阻止される。
【０００６】
連結要素が、２対の舌片により形成されており、１つの対偶を成すそれぞれ２つの舌片が、その間に保持要素を保持し、固定要素が、両対の舌片の間に保持されると、特に好適である。この場合、１対の舌片は、保持要素に周囲で係合し、１対の舌片は、固定要素の一方の側に位置していて、その際、それぞれ異なる両対の舌片がそれぞれ固定要素の別の側に配置されるように位置している。
【０００７】
ガイドレールが、横向きに延在しているほぼ平坦な少なくとも１つのプレートを備え、プレートにチェンが当接すると、特に好適である。少なくとも１つの平坦なプレートは、チェンの案内およびチェン区分の振動の低減に用いられる。というのも、プレートにチェンが接触すると、チェンの自由度が低減されることにより、振動が低減されるからである。相互に間隔を有する２つのプレートが設けられている場合、チェンは、これらのプレートの間で案内することができ、これは、チェン区分の振動を低減する。
【０００８】
舌片がプレートから突出していると、特に好適である。この場合、舌片がプレートからほぼ垂直に突出していて、そうして固定要素を備える保持要素を保持するための保持部を形成していると、好適である。舌片が柔軟に構成されていると、保持要素を舌片の間に嵌めて、クリップ留めすることができる。
【０００９】
この場合、舌片が相互にほぼ平行に方向付けされていると、特に好適である。
【００１０】
さらに、舌片がその端部領域に肉厚部を有し、肉厚部は、１対の隣り合う舌片において互いに向き合うように方向付けされていると、好適である。そうして、保持要素をクリップ留めするためのある種のアンダカットを達成することができる。
【００１１】
固定要素が、円筒形の保持要素を保持する円筒体または非円形の均一な厚みの要素であると好適である。この場合、円筒体または非円形の均一な厚みの要素は、孔を有してよく、この孔は、円筒形または管状の保持要素を保持する。非円形の均一な厚みの要素は、この場合、非円形の要素であるが、あらゆる回動角度で同一の直径を有する要素である。
【００１２】
円筒形の保持要素が、潤滑油の供給に用いられる所定の管であると、特に好適である。
【００１３】
円筒体が少なくとも１つの孔を有し、孔は、管の孔と整合していて、チェンの潤滑油の供給に用いられることも好適である。これに対応して、少なくとも１つの孔、好適には２つの孔を有する円筒体は、管として構成された保持要素に被せ嵌められ、保持要素は、同様に少なくとも１つの孔を有し、この孔から潤滑油が流出可能であり、潤滑油は、次いで円筒体に向けて導かれ、そこから流出する。
【００１４】
この場合、ガイドレールが、相互に間隔をおいた２つのプレートと、互いに反対側に位置する２つの壁部とを有し、壁部は、両方のプレートを縁側で結合して、チェンを保持するような通路を形成すると、好適である。これにより、チェンの確実で所定のガイドが実現される。
【００１５】
以下に、添付の図面に関連して好適な実施の形態に基づいて、本発明を詳しく説明する。
【図面の簡単な説明】
【００１６】
【図１】保持要素と固定要素とを備えるチェンガイド要素の概略側面図を示す。
【図２】保持要素と固定要素とを備えるチェンガイド要素の断面図を示す。
【図３】保持要素と固定要素とを備えるチェンガイド要素の断面図を示す。
【図４】チェンガイド要素の側面図を示す。
【発明を実施するための形態】
【００１７】
図１〜図４は、様々な観察方向でみた、特に円錐ディスク巻掛式伝動装置の、チェン用のチェンガイド要素１を示している。チェンガイド要素１は、長細く延在しているガイドレール２と連結要素３とを備える。この場合、連結要素３は、ガイドレール２を保持要素４と連結するために、保持要素４を保持するのに用いられる。
【００１８】
保持要素４を介して、チェンガイド要素１のガイドレール２は、例えば伝動装置ハウジングに保持される。
【００１９】
チェンガイド要素１は、ガイドレール２を備え、ガイドレール２は、第１のプレート５と第２のプレート６とを備える。これらのプレート５，６は、側方で、相互間隔をおいて配置された２つの壁部７，８により相互に結合されており、これにより通路９が形成され、通路９を通ってチェンを案内可能である。プレート５，６は、チェンの走行方向に一致する横方向の所定の延伸長さを有するので、プレート５，６に、チェンの延伸長さの部分範囲にわたってチェンが当接することができ、ひいてはチェン区分の振動を低減することができる。
【００２０】
プレート５，６は、その長手方向で２つに分割されている。図３によれば、プレート５およびプレート６のそれぞれ１つの半部が、壁部７，８と結合されて、ある種のハーフシェル９，１０を形成する。そうして形成された両方のハーフシェル９，１０は、結合手段１１により、相互に結合されている。結合手段は、例えば係止手段であってよい。代替的に、これらの部分は、相互に接着、溶接またはその他の形で結合されていてよい。
【００２１】
保持手段４は、所定の円筒形の要素であり、この円筒形の要素は、例えば管として形成されて、伝動装置ハウジングに配置されていてよい。例えば保持要素４は、チェンの潤滑油供給部の管であってもよい。この場合、保持要素４は、チェンガイド要素の領域に、チェン潤滑用の潤滑油が流出するための開口１３を有する。
【００２２】
保持要素４と固定要素１２とが結合されており、固定要素１２は円筒体として形成されている。この場合、円筒体１２は、円筒形または非円形の均一な厚みの保持要素４に被せられていて、好適には保持要素４と形状結合（形状結合とは嵌め合いまたは噛み合いなどの部材相互の形状的関係による結合を意味する）式に、摩擦結合式にかつ／または材料結合（材料結合とは、例えば接着や溶接等の材料の力（原子、分子の力）による結合を意味する）式に結合されている。固定要素１２は、保持要素４の半径ｒよりも大きい半径ｒを有するので、固定要素１２は、保持要素４から半径方向で張り出しており、連結要素３が当接するための側方の当接面１４を有する。
【００２３】
連結要素３は、４つの舌片１５，１６，１７，１８を備え、これらの舌片は、対偶を成して配置されており、プレート６から突出している。舌片は、相互にほぼ平行に方向付けされている。この場合、舌片のそれぞれ１対が１つのハーフシェル９，１０に割り当てられている。１対の舌片１５，１６または舌片１７，１８は、両側で保持要素４を取り囲むように係合し、保持要素４をその間に保持する。保持要素が再び逃げないように、舌片１５〜１８は、それぞれの末端の端部領域１９に、肉厚部２０を有する。これにより、舌片は、ある種のスナップフックとなり、保持要素４は、力を加えずに、舌片が取り囲んでいる領域から外へ至ることはない。この場合、１対の舌片の肉厚部２０は、互いに向き合うように方向付けされている。
【００２４】
この場合、舌片１５〜１８は、隣り合う対偶の舌片の間隔が、ほぼ、固定要素の軸方向の延伸長さの距離を有するように配置されているので、舌片は、好適には、側方で固定要素１２に、そこで当接面１４としての側面に当接する。これにより、保持要素４の長手軸線に対して横向きの保持要素４上のチェンガイド要素１の相対回動が制限されるかまたは阻止される。
【００２５】
固定要素１２は、保持要素の開口１３と整合する少なくとも１つの通路または開口２１を有し、これにより、潤滑油の供給が実現される。
【符号の説明】
【００２６】
１  チェンガイド要素
２  ガイドレール
３  連結要素
４  保持要素
５  プレート
６  プレート
７  壁部
８  壁部
９  ハーフシェル
１０  ハーフシェル
１１  結合手段
１２  固定要素
１３  開口
１４  当接面
１５  舌片
１６  舌片
１７  舌片
１８  舌片
１９  端部領域
２０  肉厚部
２１  開口
【図１】
2016532061.tif 000002
【図２】
2016532061.tif 000003
【図３】
2016532061.tif 000004
【図４】
2016532061.tif 000005
【国際調査報告】
2016532061.tif 000006
2016532061.tif 000007
2016532061.tif 000008
2016532061.tif 000009